(57)【要約】【課題】パワー変化の範囲全体にわたって良好な光学品質を維持する調節性眼内レンズ（ＩＯＬ）を提供する。【解決手段】ＩＯＬは、光学素子と、可撓性膜と、光学素子及び可撓性膜を結合する周縁部とを含む。周縁部は、高さを有する外周面及び外周面の高さの一部に沿って画定された力伝達領域を含む。閉鎖容積は光学素子と可撓性膜とを離間させる。半径方向の圧縮力が力伝達領域に適用されたとき、光学素子は軸方向に変位し、可撓性膜は中心軸の周りで曲率が変化する。光学素子が軸方向に移動し、可撓性膜の曲率が変化したとき、及び／又は半径方向の圧縮力が力伝達領域に適用されたとき、閉鎖容積によって画定される体積は一定のままである。【選択図】図４Ａ
2020110699.tif 000002
【特許請求の範囲】
【請求項１】
調節性眼内レンズ（ＩＯＬ）であって、
光学素子と、
光学素子の前方に配置された可撓性膜と、
前記光学素子及び前記可撓性膜に結合された周縁部であって、高さを有する外周面及び前記外周面の高さの一部に沿って画定された力伝達領域を含む周縁部と、
前記光学素子及び前記可撓性膜を離間させる閉鎖容積と
を含み、
前記力伝達領域に加えられた半径方向の圧縮力が、調節パワーの変化を与える前記力伝達領域を半径方向に圧縮したとき、前記光学素子は軸方向に変位し、前記可撓性膜は中心軸の周りで曲率が変化し、
前記光学素子が軸方向に変位したとき、及び／又は半径方向の圧縮力が前記力伝達領域に加えられたときに、前記光学素子が屈曲に抵抗し、又は曲率の変化に抵抗するように、前記光学素子は前記膜よりも大きな剛性を有する、調節性ＩＯＬ。
【請求項２】
前記力伝達領域が周方向リングである、請求項１に記載の調節性ＩＯＬ。
【請求項３】
前記周方向リングは、前記周縁部から外向きに突出している、請求項２に記載の調節性ＩＯＬ。
【請求項４】
前記閉鎖容積内に収容された流体を更に含む、請求項１〜３のいずれか一項に記載の調節性ＩＯＬ。
【請求項５】
前記流体が、シリコーン油、フッ素化シリコーン油及びポリフェニルエーテルからなる群から選択される、請求項４に記載の調節性ＩＯＬ。
【請求項６】
前記力伝達領域に接触するか又は結合された触覚を更に含む、請求項１〜５のいずれか一項に記載の調節性ＩＯＬ。
【請求項７】
前記閉鎖容積が、前記光学素子、前記可撓性膜及び前記周縁部の間に画定される、請求項１〜６のいずれか一項に記載の調節性ＩＯＬ。
【請求項８】
前記閉鎖容積によって画定される体積は、前記光学素子が軸方向に変位し前記可撓性膜の曲率が変化したとき、及び／又は半径方向の圧縮力が前記力伝達領域に加えられたとき、一定のままである、請求項１〜７のいずれか一項に記載の調節性ＩＯＬ。
【請求項９】
ベースレンズアセンブリ及び請求項１〜８のいずれか一項に記載の調節性ＩＯＬを備える２ピース式調節性眼内レンズアセンブリであって、前記ベースレンズアセンブリは、ベースパワー光学素子と、前記ベースパワー光学素子の周りの周方向の触覚システムとを含み、前記触覚システムは、前記ベースパワー光学素子に対面する内側表面であって、調節性ＩＯＬを取り外し可能に維持する内部空間を画定する内側表面を有する、２ピース式調節性眼内レンズアセンブリ。
【請求項１０】
前記外周面の力伝達領域のみが前記触覚システムの前記内側表面と接触している、請求項９に記載の２ピース式調節性眼内レンズアセンブリ。
【請求項１１】
前記ベースレンズアセンブリは、ＩＯＬの前記光学素子及び／又は前記可撓性膜を含む側に接触するように、前記内側表面から半径方向内向きに延びる支持フランジを更に含む、請求項９又は１０に記載の２ピース式調節性眼内レンズアセンブリ。
【請求項１２】
前記触覚システムの外側表面の周りに配置された複数の離間したノッチを更に含む、請求項９〜１１のいずれか一項に記載の２ピース式調節性眼内レンズアセンブリ。
【請求項１３】
調節性ＩＯＬであって、
光学素子と、
光学素子の前方に配置された可撓性膜と、
内方側及び外方側を有する周方向周縁部と、
前記光学素子及び前記可撓性膜を離間させる閉鎖容積と、
前記周方向周縁部の内方側から配置された光学素子カプラ及び膜カプラと、
前記周方向周縁部の外方側に配置された力伝達領域であって、前記光学素子カプラに対向する外方側の一部に沿って配置され、前記膜カプラに対向する外方側の一部に沿って配置されない力伝達領域とを含み、
前記力伝達領域に加えられた半径方向の圧縮力が、調節パワーの変化を与える前記力伝達領域を半径方向に圧縮したとき、前記力伝達領域は、自身に加えられる半径方向の圧縮力の伝達を、前記光学素子カプラを介して前記光学素子に集中させ、中心軸に沿って前記光学素子を軸方向に変位させ、
前記光学素子の軸方向変位は、前記閉鎖容積及び流体の前記膜への接着の結果として、前記可撓性膜の曲率の変化を引き起こす、調節性ＩＯＬ。
【請求項１４】
前記力伝達領域が周方向リングである、請求項１３に記載の調節性ＩＯＬ。
【請求項１５】
前記周方向リングは、前記周方向周縁部から外向きに突出している、請求項１４に記載の調節性ＩＯＬ。
【請求項１６】
前記閉鎖容積内に収容された流体を更に含む、請求項１３〜１５のいずれか一項に記載の調節性ＩＯＬ。
【請求項１７】
前記流体が、シリコーン油、フッ素化シリコーン油及びポリフェニルエーテルからなる群から選択される、請求項１６に記載の調節性ＩＯＬ。
【請求項１８】
前記光学素子は、前記光学素子が軸方向に変位したとき、及び／又は半径方向の圧縮力が前記力伝達領域に加えられたときに、屈曲に抵抗し、又は曲率の変化に抵抗するように前記膜よりも大きな剛性を有する、請求項１３〜１７のいずれか一項に記載の調節性ＩＯＬ。
【請求項１９】
前記周方向周縁部の内方側と前記可撓性膜との間に画定された周方向の溝を更に含み、前記周方向の溝は閉鎖容積内に含まれる内部容積を有する、請求項１３〜１８のいずれか一項に記載の調節性ＩＯＬ。
【請求項２０】
前記力伝達領域に直接接触するか又は結合された触覚を更に含む、請求項１３〜１９のいずれか一項に記載の調節性ＩＯＬ。
【請求項２１】
前記閉鎖容積が、前記光学素子、前記可撓性膜及び前記周方向周縁部の間に画定される、請求項１３〜２０のいずれか一項に記載の調節性ＩＯＬ。
【請求項２２】
半径方向の圧縮力が前記力伝達領域に加えられたとき、前記閉鎖容積の体積が一定のままである、請求項１３〜２１のいずれか一項に記載の調節性ＩＯＬ。
【請求項２３】
ベースレンズアセンブリ及び請求項１３〜２２のいずれか一項に記載の調節性ＩＯＬを備える２ピース式調節性眼内レンズアセンブリであって、前記ベースレンズアセンブリは、ベースパワー光学素子と、前記ベースパワー光学素子の周りの周方向の触覚システムとを含み、前記触覚システムは、調節性ＩＯＬを取り外し可能に維持する内部空間を画定する内側表面を有する、２ピース式調節性眼内レンズアセンブリ。
【請求項２４】
前記外方側の力伝達領域のみが前記触覚システムの前記内側表面と接触している、請求項２３に記載の２ピース式調節性眼内レンズアセンブリ。
【請求項２５】
前記ベースレンズアセンブリは、ＩＯＬの前記光学素子及び／又は前記可撓性膜を含む側に接触するように、前記内側表面から半径方向内向きに延びる支持フランジを更に含む、請求項２３又は２４に記載の２ピース式調節性眼内レンズアセンブリ。
【請求項２６】
前記触覚システムの外側表面の周りに配置された複数の離間したノッチを更に含む、請求項２３〜２５のいずれか一項に記載の２ピース式調節性眼内レンズアセンブリ。
【請求項２７】
調節性ＩＯＬであって、
光学素子と、
光学素子の前方に配置された可撓性膜と、
内方側及び外方側を有する周方向周縁部と、
前記光学素子と前記可撓性膜との間に空間を提供する閉鎖容積と、
前記周方向周縁部の内方側から配置された光学素子カプラ及び膜カプラと、
前記周方向周縁部の外方側に配置された力伝達領域であって、前記膜カプラに対向する外方側の一部に沿って配置され、前記光学素子カプラに対向する外方側の一部に沿って配置されない力伝達領域とを含み、
前記力伝達領域に加えられた半径方向の圧縮力が、調節パワーの変化を与える前記力伝達領域を半径方向に圧縮したとき、前記力伝達領域は、自身に加えられる半径方向の圧縮力の伝達を、前記膜カプラを介して前記可撓性膜に集中させ、中心軸の周りで前記可撓性膜の曲率を変化させ、
前記可撓性膜の曲率の変化は、前記閉鎖容積及び流体の前記光学素子への接着の結果として、前記光学素子の対応する軸方向変位を引き起こす、調節性ＩＯＬ。
【請求項２８】
前記力伝達領域が周方向リングである、請求項２７に記載の調節性ＩＯＬ。
【請求項２９】
前記周方向リングは、前記周方向周縁部から外向きに突出している、請求項２８に記載の調節性ＩＯＬ。
【請求項３０】
前記閉鎖容積内に収容された流体を更に含む、請求項２７〜２９のいずれか一項に記載の調節性ＩＯＬ。
【請求項３１】
前記流体が、シリコーン油、フッ素化シリコーン油及びポリフェニルエーテルからなる群から選択される、請求項３０に記載の調節性ＩＯＬ。
【請求項３２】
前記可撓性膜の曲率の変化に応答して、かつ／又は、半径方向の圧縮力が力伝達領域に加えられたとき、前記光学素子が中心軸に沿って軸方向に自由に変位するように、前記光学素子カプラは複数の折り畳まれた領域を含む、請求項２７〜３１のいずれか一項に記載の調節性ＩＯＬ。
【請求項３３】
前記力伝達領域に直接接触するか又は結合された触覚を更に含む、請求項２７〜３２のいずれか一項に記載の調節性ＩＯＬ。
【請求項３４】
前記閉鎖容積が、前記光学素子、前記可撓性膜及び前記周方向周縁部の間に画定される、請求項２７〜３３のいずれか一項に記載の調節性ＩＯＬ。
【請求項３５】
半径方向の圧縮力が前記力伝達領域に加えられたとき、前記閉鎖容積が一定のままである、請求項２７〜３４のいずれか一項に記載の調節性ＩＯＬ。
【請求項３６】
ベースレンズアセンブリ及び請求項２７〜３５のいずれか一項に記載の調節性ＩＯＬを備える２ピース式調節性眼内レンズアセンブリであって、前記ベースレンズアセンブリは、ベースパワー光学素子と、前記ベースパワー光学素子の周りの周方向の触覚システムとを含み、前記触覚システムは、調節性ＩＯＬを取り外し可能に維持する内部空間を画定する内側表面を有する、２ピース式調節性眼内レンズアセンブリ。
【請求項３７】
前記外方側の力伝達領域のみが前記触覚システムの内側表面と接触している、請求項３６に記載の２ピース式調節性眼内レンズアセンブリ。
【請求項３８】
前記ベースレンズアセンブリは、ＩＯＬの前記光学素子及び／又は前記可撓性膜を含む側に接触するように、前記内側表面から半径方向内向きに延びる支持フランジを更に含む、請求項３６又は３７に記載の２ピース式調節性眼内レンズアセンブリ。
【請求項３９】
前記触覚システムの外側表面の周りに配置された複数の離間したノッチを更に含む、請求項３６〜３８のいずれか一項に記載の２ピース式調節性眼内レンズアセンブリ。
【請求項４０】
調節性眼内レンズ（ＩＯＬ）であって、
光学素子と、
光学素子の前方に配置された可撓性膜と、
前記光学素子及び前記可撓性膜に結合された力伝達領域と、
前記光学素子及び前記可撓性膜を離間させる閉鎖容積と
を含み、
前記力伝達領域に加えられた半径方向の圧縮力が、調節パワーの変化を与える前記力伝達領域を半径方向に圧縮したとき、前記光学素子は軸方向に変位し、前記可撓性膜は中心軸の周りで曲率が変化し、
前記光学素子が軸方向に変位したとき、及び／又は半径方向の圧縮力が前記力伝達領域に加えられたときに、前記光学素子が屈曲に抵抗し、又は曲率の変化に抵抗するように、前記光学素子は前記膜よりも大きな剛性を有する、調節性ＩＯＬ。
【発明の詳細な説明】
【技術分野】
【０００１】
本発明は、概して調節性眼内レンズデバイスに関し、より詳細には、患者の眼の水晶体嚢又は溝（ｓｕｌｃｕｓ）に埋め込まれるように構成された調節性眼内レンズデバイスに関する。
【背景技術】
【０００２】
広範な眼科的状態に対処するための高度な介入が技術的進歩によって可能になるにつれて、眼の外科処置が増加している。このような処置は一般的に安全であることが証明され、患者の生活の質を大幅に向上させる結果をもたらすため、患者の受け入れは過去２０年間にわたって増加している。
【０００３】
白内障手術は、最も一般的な手術の１つであり、世界中で１，６００万件を超える白内障手術が行われている。平均寿命が延び続けるにつれて、この数字は増加し続けると予想される。白内障は、典型的には、眼から水晶体を取り出し、眼内レンズ（ｉｎｔｒａｏｃｕｌａｒ  ｌｅｎｓ）（「ＩＯＬ」）をその場所に移植することによって治療される。従来のＩＯＬデバイスは、主に遠方視力に焦点を合わせているので、老視を補正することができず、老眼鏡が依然として必要である。したがって、標準的なＩＯＬ移植を受けた患者は、もはや白内障からの曇りを経験しないが、遠近調節を行うことができないか、又は遠くから近くに、近くから遠くに、及びその間の距離に焦点を変更することができない。
【０００４】
眼の屈折異常を矯正するための手術も非常に一般的になっており、中でもレーシックの人気が高まっており、１年に７０万件を超える手術が行われている。屈折異常の高い罹患率と、この手術が比較的安全で有効であることを考慮すると、従来の眼鏡又はコンタクトレンズに比べてますます多くの人々がレーシック又は他の外科手術に向かうことが予想される。近視の治療におけるレーシックの成功にもかかわらず、従来のレーシック手術では治療することができない老視を矯正する効果的な外科的介入に対するニーズはまだ満たされていない。
【０００５】
ほぼすべての白内障患者が老視にも苦しんでいるので、市場の要求はこれらの両方の状態の治療に集中している。医師及び患者の間では、白内障の治療において植込み型眼内レンズを用いることが一般的に受け入れられているが、老視を矯正する同様の手術は、米国白内障市場のわずか５％に過ぎない。したがって、老齢人口が増加する中、眼科白内障及び／又は老視の両方に対処する必要がある。
【発明の概要】
【発明が解決しようとする課題】
【０００６】
本明細書に記載の調節性眼内レンズ（ＩＯＬ）は、可撓性膜のパワー変更特性をベースレンズと組み合わせている。ＩＯＬのパワー変更特性は、閉鎖容積内の流体光学素子によって駆動される。ＩＯＬの重要な利点の１つは、可撓性膜とベースレンズとを離間させる閉鎖容積が実質的に一定の体積を維持し、体積変化、すなわち流体がリザーバからチャンバ内に供給されることを伴うか又は必要とする流体光学ＩＯＬに関連する多くの問題を回避することである。体積変化を必要とする流体光学系によって示される多くの欠点には、可撓性膜の不均一なパワー変化及び／又は不均一な座屈が挙げられる。本明細書で開示されるＩＯＬは、実質的に一定の又は不変の体積を維持し、パワー変化の範囲全体にわたって良好な光学品質を維持することによって、このような問題を回避する。液体は、パワー変化に伴い閉鎖容積内で自身を再分配する。この設計は、リザーバを必要とする既知のＩＯＬ流体光学系よりもかなり少量の流体しか必要としない。より小さいＩＯＬであることによる本発明の更なる利点は、より大きなＩＯＬに関連する生体適合性の問題の低減、ならびにレンズを埋め込むために必要な切開サイズの縮小である。これは、より早い治癒及びより安定した屈折をもたらす。
【課題を解決するための手段】
【０００７】
本明細書に開示されるＩＯＬは、あらゆる方法で構成され得る。一実施形態では、移植されたＩＯＬにかかる半径方向の圧縮力を可撓性膜上に集中させて可撓性膜の曲率を変化させることができる。同時に、ＩＯＬは、光学素子に対しては半径方向の圧縮力が最小化又は低減されるように構成される。一実施形態では、半径方向の圧縮力の少なくとも５１％、少なくとも６０％、少なくとも７０％、少なくとも７５％、少なくとも８０％、少なくとも９０％、少なくとも９５％、少なくとも９８％、少なくとも９９％、又は１００％が可撓性膜にかかる。別の実施形態では、半径方向の圧縮力の１％以下、２％以下、５％以下、１０％以下、２０％以下、２５％以下、３０％以下、４０％、又は４９％以下が光学素子にかかる。しかしながら、光学素子は、可撓性膜の曲率の変化に応じて可撓性膜に向かって軸方向に変位するように構成されてもよい。この軸方向の変位は、光学素子が浮遊するのを可能にするような態様で光学素子をＩＯＬの周縁部に結合させることによって容易にされ得る。可撓性膜の曲率が変化するにつれて、流体接着又は表面張力が作用して、可撓性膜の方に光学素子を引っ張る。好ましくは、光学素子は曲率の変化に抵抗するか、又は曲率が変化しない。
【０００８】
別の実施形態では、移植されたＩＯＬにかかる半径方向の圧縮力を光学素子に集中させて光学素子を軸方向に変位させることができる。一実施形態では、半径方向の圧縮力の少なくとも５１％、少なくとも６０％、少なくとも７０％、少なくとも７５％、少なくとも８０％、少なくとも９０％、少なくとも９５％、少なくとも９８％、少なくとも９９％、又は１００％が光学素子にかかる。別の実施形態では、半径方向の圧縮力の１％以下、２％以下、５％以下、１０％以下、２０％以下、２５％以下、３０％以下、４０％、又は４９％以下が可撓性膜にかかる。好ましい実施形態では、光学素子は曲率の変化に抵抗するか、又は曲率が変化しない。同時に、ＩＯＬは、可撓性膜に対して半径方向の圧縮力が最小化又は低減されるように構成される。しかし、可撓性膜は、レンズの軸方向変位に応じて曲率が変化する。
【０００９】
更なる実施形態では、移植されたＩＯＬにかかる半径方向の圧縮力は、可撓性膜の曲率の変化及び可撓性膜に向かう光学素子の軸方向変位を引き起こすために、これらの間の空間の体積を一定に維持しながら、可撓性膜及び光学素子の両方に適用されてもよい。好ましくは、可撓性膜の曲率が変化する際に、光学素子は軸方向に変位するが、曲率の変化には抵抗するか又は曲率が変化しない。
【００１０】
いずれの実施形態に関しても、膜の厚さは均一であってもよいし、変化していてもよい。一実施形態では、膜は、より薄い中央領域及び中心軸Ａ−Ａの周りのより厚い周辺領域を有してもよく、これは所与の力の量に対してより大きなパワー変化を可能にし得る。しかし、膜の中央領域と周辺領域の厚さの比が大きすぎると、顕著な非球面性が生じ、圧縮下での光学品質が低下し、製造がより困難になる。中心のより厚い膜は、ＩＯＬの製造をより容易にすることができるが、潜在的なパワー変化を減少させる可能性がある。最適な膜厚及び厚さの均一性の決定は、製造上の問題及びコストを最小限に抑えながら、パワー変化及び光学品質を最大化するように決定される。また、膜は、埋め込み処置中に取り扱うことができる程度に十分に厚くなければならない。
【００１１】
本明細書に開示の二部式調節性ＩＯＬデバイスは、その別個の二部式構造に起因する多くの利点を提供する。ＩＯＬデバイスの２つの部分は別々に移植されるため、移植のための送達外形が非常に小さくなるので、ＩＯＬデバイスの移植は、著しく縮小した切開サイズしか必要としない。縮小された切開サイズは、切開部位を閉じるための麻酔及び縫合の必要性を排除し、外科的結果を改善することを含む多くの利点を提供する。
【００１２】
さらに、手術中のＩＯＬの大きさ及びパワーの調整に関して、より優れた制御が与えられる。ベースレンズアセンブリを水晶体嚢に移植することは、医師に患者の水晶体嚢の大きさに関する印象を提供し、それにより、次に移植するパワー変更レンズの正しいサイズを確認する助けとなる。
【００１３】
一実施形態では、調節性ＩＯＬが説明される。ＩＯＬは、光学素子と、可撓性膜と、光学素子及び可撓性膜に結合された周縁部とを含むことができる。周縁部は、高さを有する外周面と、外周面の高さの一部に沿って画定された力伝達領域とを含むことができる。閉鎖容積は、光学素子と可撓性膜とを離間させることができる。好ましくは、半径方向の圧縮力が力伝達領域に加えられると、光学素子は軸方向に変位することができ、可撓性膜は中心軸の周りで曲率を変化させることができる。光学素子が軸方向に変位したとき、及び／又は半径方向の圧縮力が力伝達領域に加えられたときに、光学素子が屈曲に抵抗し、又は曲率の変化に抵抗することができるように、光学素子は膜よりも大きな剛性を有することができる。あるいは、ＩＯＬを溝（ｓｕｌｃｕｓ）に埋め込むことができる。ＩＯＬは、天然水晶体と一緒にでも、一緒にでなくても、眼の溝に埋め込むことができるように設計することができる（有水晶体又は偽水晶体ＩＯＬ）。
【００１４】
第１の態様によれば、力伝達領域を周方向リングとしてもよい。好ましくは、周方向リングは、周方向周縁部から外向きに突出することができる。
第２の態様によれば、流体を閉鎖容積内に収容することができる。好ましくは、流体は、シリコーン油、フッ素化シリコーン油及びポリフェニルエーテルからなる群から選択することができる。
【００１５】
第３の態様によれば、調節性ＩＯＬは、力伝達領域に接触するか、又は力伝達領域に結合された触覚システムをさらに備えることができる。
第４の態様によれば、閉鎖容積を、光学素子、可撓性膜及び周縁部の間に画定することができる。
【００１６】
第５の態様によれば、体積を閉鎖容積によって画定することができ、光学素子が軸方向に変位し可撓性膜の曲率が変化したとき、及び／又は半径方向の圧縮力が力伝達領域に加えられたとき、この体積は一定のままであり得る。
【００１７】
別の実施形態では、２ピース式調節性眼内レンズアセンブリが記載される。２ピース式調節性眼内レンズアセンブリは、ベースレンズアセンブリ及び本明細書に記載の調節性ＩＯＬを備えることができる。ベースアセンブリは、ベースパワー光学素子と、ベースパワー光学素子の周りに周方向に触覚システムを備えることができる。触覚システムは、ベースパワー光学素子に対面する内側表面であって、調節性ＩＯＬを取り外し可能に維持することができる内部空間を画定する内側表面を備えることができる。
【００１８】
第１の態様によれば、外周面の力伝達領域のみが触覚システムの内側表面と接触している。
第２の態様によれば、ベースレンズアセンブリは、ＩＯＬの光学素子及び／又は可撓性膜を含む側に接触するように、内側表面から半径方向内向きに延びる支持フランジを更に備えることができる。
【００１９】
第３の態様によれば、複数の離間したノッチを触覚システムの外側表面の周りに配置することができる。
第４の態様によれば、ベースパワー光学素子は、曲率の変化に部分的に又は完全に抵抗することができ、又は触覚システムに加えられる半径方向の圧縮力に応答して曲率を変化させることができる。
【００２０】
更なる実施形態では、調節性ＩＯＬが記載される。調節性ＩＯＬは、光学素子と、可撓性膜と、内方側及び外方側を有する周方向周縁部とを備えることができる。閉鎖容積は、光学素子と可撓性膜とを離間させることができる。周方向周縁部の内方側から光学素子カプラ及び膜カプラを配置することができる。周方向周縁部の外方側に力伝達領域を配置することができる。力伝達領域は、光学素子カプラに対向する外方側の一部に沿って配置することができ、膜カプラに対向する外方側の一部に沿って配置されない。力伝達領域は、自身に加えられる半径方向の圧縮力の伝達を、光学素子カプラを介して光学素子に集中させ、中心軸に沿って光学素子を軸方向に変位させることができる。光学素子の軸方向変位は、閉鎖容積及び流体の膜への接着の結果として、可撓性膜の曲率の変化を引き起こし得る。
【００２１】
第１の態様によれば、力伝達領域を周方向リングとしてもよい。好ましくは、周方向リングは、周方向周縁部から外向きに突出することができる。
第２の態様によれば、流体を閉鎖容積内に収容することができる。好ましくは、流体は、シリコーン油、フッ素化シリコーン油及びポリフェニルエーテルからなる群から選択することができる。
【００２２】
第３の態様によれば、光学素子は、光学素子が軸方向に変位したとき、及び／又は半径方向の圧縮力が力伝達領域に加えられたときに、屈曲に抵抗し、又は曲率の変化に抵抗することができるように膜よりも大きな剛性を有することができる。
【００２３】
第４の態様によれば、周方向周縁部の内方側と可撓性膜との間に周方向の溝を画定することができ、周方向の溝は閉鎖容積内に含まれる内部容積を有する。
第５の態様によれば、触覚システムが、力伝達領域に直接接触するか、又は力伝達領域に結合され得る。
【００２４】
第６の態様によれば、閉鎖容積を、光学素子、可撓性膜、及び周方向周縁部の間に画定することができる。
第７の態様によれば、半径方向の圧縮力が力伝達領域に加えられたとき、閉鎖容積の体積は一定のままであることができる。
【００２５】
さらに別の実施形態では、２ピース式調節性眼内レンズアセンブリが記載される。２ピース式調節性眼内レンズアセンブリは、ベースレンズアセンブリ及び本明細書に記載の調節性ＩＯＬを備えることができる。ベースアセンブリは、ベースパワー光学素子と、ベースパワー光学素子の周りの周方向の触覚システムとを備えることができ、触覚システムは、調節性ＩＯＬが取り外し可能に保持される内部空間を画定する内部表面を有する。
【００２６】
第１の態様によれば、外方側の力伝達領域のみが触覚システムの内側表面と接触している。
第２の態様によれば、ベースレンズアセンブリは、ＩＯＬの光学素子及び／又は可撓性膜を含む側に接触するように、内側表面から半径方向内向きに延びる支持フランジをさらに備えることができる。
【００２７】
第３の態様によれば、複数の離間したノッチを触覚システムの外側表面の周りに配置することができる。
第４の態様によれば、ベースパワー光学素子は、曲率の変化に部分的又は完全に抵抗するか、又は触覚システムに加えられる半径方向の圧縮力に応じて曲率を変化させることができる。
【００２８】
別の実施形態では、調節性ＩＯＬは、光学素子と、可撓性膜と、内方側及び外方側を有する周方向周縁部を含むことができる。閉鎖容積は、光学素子と可撓性膜との間に空間を提供することができる。光学素子カプラ及び膜カプラはそれぞれ周方向周縁部の内方側から配置することができる。周方向周縁部の外方側に力伝達領域を配置することができ、この力伝達領域は、膜カプラと対向する外方側の部分に沿って配置され、光学素子に対向する外方側の部分に沿って配置されない。力伝達領域は、自身に加えられる半径方向の圧縮力の伝達を、膜カプラを介して可撓性膜に集中させ、中心軸の周りで可撓性膜の曲率を変化させることができる。可撓性膜の曲率の変化は、閉鎖容積及び流体の光学素子への接着の結果として、光学素子の対応する軸方向変位を引き起こし得る。
【００２９】
第１の態様によれば、力伝達領域を周方向リングとしてもよい。好ましくは、周方向リングは、周方向周縁部から外向きに突出することができる。
第２の態様によれば、流体を閉鎖容積内に収容することができる。好ましくは、流体は、シリコーン油、フッ素化シリコーン油及びポリフェニルエーテルからなる群から選択することができる。
【００３０】
第３の態様によれば、可撓性膜の曲率の変化に応答して、かつ／又は、半径方向の圧縮力が力伝達領域に加えられたとき、光学素子が中心軸に沿って軸方向に自由に変位するように、光学素子カプラは複数の折り畳まれた領域を含むことができる。
【００３１】
第４の態様によれば、触覚が、力伝達領域に直接接触するか、又は力伝達領域に結合され得る。
第５の態様によれば、閉鎖容積を、光学素子、可撓性膜及び周方向周縁部の間に画定することができる。
【００３２】
第６の態様によれば、半径方向の圧縮力が力伝達領域に加えられたとき、閉鎖容積は一定のままであり得る。
さらに別の実施形態では、２ピース式調節性眼内レンズアセンブリが記載される。２ピース式調節性眼内レンズアセンブリは、ベースレンズアセンブリ及び本明細書に記載の調節性ＩＯＬを備えることができる。ベースアセンブリは、ベースパワー光学素子と、ベースパワー光学素子の周りに周方向に触覚システムを備えることができる。触覚システムは、調節性ＩＯＬが取り外し可能に維持される内部空間を画定することができる。
【００３３】
第１の態様によれば、外方側の力伝達領域のみが触覚システムの内側表面と接触している。
第２の態様によれば、ベースレンズアセンブリは、ＩＯＬの光学素子及び／又は可撓性膜を含む側に接触するように、内側表面から半径方向内向きに延びる支持フランジをさらに備えることができる。
【００３４】
第３の態様によれば、複数の離間したノッチを触覚システムの外側表面の周りに配置することができる。
第４の態様によれば、ベースパワー光学素子は、曲率の変化に部分的に又は完全に抵抗することができ、又は触覚システムに加えられる半径方向の圧縮力に応答して曲率を変化させることができる。
【００３５】
更なる実施形態では、調節性ＩＯＬが提供される。ＩＯＬは、光学素子と、可撓性膜と、光学素子及び可撓性膜に結合された力伝達領域とを含むことができる。閉鎖容積は、光学素子及び可撓性膜を離間させることができる。半径方向の圧縮力が力伝達領域に加えられると、光学素子は軸方向に変位することができ、可撓性膜は中心軸の周りで曲率が変化する。光学素子が軸方向に変位したとき、及び／又は半径方向の圧縮力が力伝達領域に加えられたときに、光学素子が屈曲に抵抗し、又は曲率の変化に抵抗することができるように、光学素子は膜よりも大きな剛性を有することができる。
【００３６】
記載された好ましい実施形態の他の目的、特徴及び利点は、以下の詳細な説明から当業者には明らかになるであろう。しかしながら、詳細な説明及び特定の実施例は、本発明の好ましい実施形態を示しているが、限定ではなく例示として与えられていることを理解されたい。本発明の趣旨を逸脱することなく、本発明の範囲内で多くの変更及び改変を行うことができ、本発明はそのような変更すべてを含む。
【図面の簡単な説明】
【００３７】
【図１Ａ】調節性ＩＯＬの代替実施形態の斜視図である。
【図１Ｂ】調節性ＩＯＬの代替実施形態の斜視図である。
【図２Ａ】図１Ａの２ＡＢ−２ＡＢに沿った調節性ＩＯＬの代替実施形態の断面図である。
【図２Ｂ】図１Ａの２ＡＢ−２ＡＢに沿った調節性ＩＯＬの代替実施形態の断面図である。
【図２Ｃ】図１Ｂの２Ｃ−２Ｃに沿った調節性ＩＯＬの別の実施形態の断面図である。
【図３Ａ】ベースレンズアセンブリの斜視図である。
【図３Ｂ】図３Ａの３Ｂ−３Ｂに沿ったベースアセンブリの断面図である。
【図４Ａ】図３Ａのベースレンズアセンブリ内に組み付けられた図２Ａの調節性ＩＯＬを含む２ピース式調節性眼内レンズアセンブリの断面図である。
【図４Ｂ】図３Ａのベースレンズアセンブリ内に組み付けられた図２Ｂの調節性ＩＯＬを含む２ピース式調節性眼内レンズアセンブリの断面図である。
【図４Ｃ】図３Ａのベースレンズアセンブリ内に組み付けられた図２Ｃの調節性ＩＯＬを含む２ピース式調節性眼内レンズアセンブリの断面図である。
【発明を実施するための形態】
【００３８】
本開示の例示的な実施形態は、添付の図面を参照して本明細書に記載される。
図面のいくつかの図を通じて、同様の参照番号は同様の部分を指す。
〔好ましい実施形態の詳細な説明〕
本発明の特定の非限定的な実施形態を、図面を参照して説明する。そのような実施形態は例示であり、本発明の範囲内の少数の実施形態の単なる例示であることを理解されたい。本発明が属する技術分野の当業者にとって明らかな様々な変更及び改変は、添付の特許請求の範囲でさらに定義される本発明の趣旨、範囲及び思想の範囲内にあるとみなされる。
【００３９】
以下の共願かつ同時係属中の米国特許出願の内容は、本明細書に完全に記載されているかのように、参照により本明細書に組み込まれる：２０１２年１０月２６日に出願され、２０１３年２月２８日に米国特許出願公開第２０１３／００５３９５４号として公開された米国特許出願第１３／６６２，０８７号；２０１２年１２月２１日に出願され、２０１４年６月２６日に米国特許出願公開第２０１４／０１８０４０３号として公開された米国特許出願第１３／７２５，８９５号；２０１３年１１月１日に出願された米国特許出願第６１／８９９，１１０号；及び２０１３年１１月１日に出願された米国特許出願第６１／８９９，１０６号。
【００４０】
図１Ａは、可撓性膜１２と、光学素子１４と、可撓性膜１２及び光学素子１４を結合する周縁部１６とを備える調節性ＩＯＬ１０の実施形態を示す。周縁部１６は、高さ及び円周を有するものとして示される。可撓性膜１２に隣接する高さの一部は力伝達領域１８を画定するように外向きに段状にされ、光学素子１４に隣接する高さの一部は内向きに段状にされて２０、図４Ａ及び４Ｂに示すように、移植先の眼の水晶体嚢又は溝（ｓｕｌｃｕｓ）、又はベースアセンブリのいずれかとの接触を最小にする領域を、あるいは、これら水晶体嚢又は溝、又はベースアセンブリのいずれかとの隙間又は離間した関係を維持する領域を画定する。好ましい実施形態では、網膜を通って眼の角膜（図示せず）の中心を横切る眼の光軸と、調節性ＩＯＬ１０の中心軸Ａ−Ａとは一致することが好ましい。図１Ａの調節性ＩＯＬ１０は、図２Ａ及び２Ｂに示す実施形態を含む様々な代替実施形態で構成することができる。
【００４１】
図１Ｂは、可撓性膜５２と、光学素子５４と、可撓性膜５２及び光学素子５４を結合する周縁部５６とを含む調節性ＩＯＬ５０の別の実施形態を示す。図１Ａの調節性ＩＯＬ１０では、周縁部５６は、高さ及び円周を有するものとして示されている。しかし、図１Ｂの調節性ＩＯＬ５０では、力伝達領域５８を画定するために外向きに段状にされた高さの部分は光学素子５４に隣接しており、内向きに段状にされた部分６０であって、図４Ｃに示すように、移植時に水晶体嚢又は溝、又はベースアセンブリのいずれかとの接触を最小にする領域を、あるいは、これら水晶体嚢又は溝、又はベースアセンブリのいずれかとの隙間又は離間した関係を維持する領域を画定する部分６０は、可撓性膜５２に隣接している。図１Ａの調節性ＩＯＬ１０の実施形態と同じく、調節性ＩＯＬ５０の中心軸Ａ−Ａは、眼の光軸と一致することが好ましい。図１Ｂの調節性ＩＯＬ５０は、図２Ｃに示す実施形態を含む様々な実施形態で構成することができる。
【００４２】
図１Ａ及び図１Ｂに示すように、力伝達領域１８，５８は、周縁部１６，５６に対して異なる位置に配置される。力伝達領域１８，５８のこの異なる位置は、眼の水晶体嚢又は溝に移植されたとき、遠近調節中にＩＯＬ１０，５０に加えられる半径方向の圧縮力の伝達を集中させるように機能する。自然な眼の遠近調節のメカニズム及び調節性ＩＯＬの移植は、同時係属中の米国特許出願第６１／８８９，１０６号及び第６１／８９９，１１０号により十分に記載されており、その全体の内容は、本明細書に完全に記載されているかのように、参照により組み込まれる。眼の水晶体嚢又は溝に移植されると、ＩＯＬ１０，５０は、遠近調節中に毛様筋の弛緩から生じる半径方向の圧縮力を受ける。力伝達領域１８，５８は、水晶体嚢又は溝と直接接触しており、したがって、半径方向の圧縮力の伝達をＩＯＬに、特に、力伝達領域１８，５８に結合又は隣接した特定のＩＯＬ構造に引き寄せ、又は集中させる。
【００４３】
一実施形態では、力伝達領域１８，５８はそれぞれ、周縁部１６，５６の全体の高さの５０％以下、４５％以下、４０％以下、３５％以下、３０％以下、２５％以下、２０％以下、１５％以下、１０％以下、５％以下、２％以下又は１％以下の高さを有することができる。
【００４４】
図１ＡのＩＯＬ１０における力伝達領域１８は、可撓性膜１２と対向する側に位置する。この位置であることにより、力伝達領域１８は半径方向の圧縮力を集中させて可撓性膜１２に伝達し、可撓性膜１２の変形又は曲率の変化を引き起こす。一実施形態では、半径方向の圧縮力の少なくとも５１％、少なくとも６０％、少なくとも７０％、少なくとも７５％、少なくとも８０％、少なくとも９０％、少なくとも９５％、少なくとも９８％、少なくとも９９％、又は１００％が可撓性膜にかかる。この実施形態の力伝達領域１８は、光学素子１４への半径方向の圧縮力の伝達を制限又は防止するように、光学素子１４に対向する側には延びないことが好ましい。別の実施形態では、半径方向の圧縮力の１％以下、２％以下、５％以下、１０％以下、２０％以下、２５％以下、３０％以下、４０％、又は４９％以下が光学素子にかかる。かくして、図４Ａ及び４Ｂにおいて１１０及び２１０としてそれぞれ示されるように、移植先の眼の水晶体嚢又は溝、あるいはベースアセンブリに対し隙間又は離間した関係を提供することにより、部分２０の段状部が半径方向の圧縮力を受けることは殆どない。
【００４５】
図１ＢのＩＯＬ５０における力伝達領域５８は、光学素子５４と対向する側に位置する。この位置であることにより、力伝達領域５８は半径方向の圧縮力を集中させて光学素子５４に伝達し、光学素子５４をＡ−Ａに沿って軸方向に変位させる。一実施形態では、半径方向の圧縮力の少なくとも５１％、少なくとも６０％、少なくとも７０％、少なくとも７５％、少なくとも８０％、少なくとも９０％、少なくとも９５％、少なくとも９８％、少なくとも９９％、又は１００％が光学素子にかかる。軸方向変位の方向は、光学素子５４が周縁部５６に結合される態様、すなわち、可撓性膜５２に向かう方向に撓められるか、離れる方向に撓められるかに依存する。図２Ｃに示す実施形態では、光学素子３０４は可撓性膜３０２に向かって撓められており、したがって、半径方向の圧縮力に対しては可撓性膜３０２に向かう軸方向変位で応答する。これに対し、図４Ｃに示されるように、移植先の眼の水晶体嚢又は溝、あるいはベースアセンブリに対し隙間又は離間した関係を提供することにより、部分３１０の段状部が半径方向の圧縮力を受けることは殆どない。別の実施形態では、半径方向の圧縮力の１％以下、２％以下、５％以下、１０％以下、２０％以下、２５％以下、３０％以下、４０％、又は４９％以下が可撓性膜にかかる。好ましくは、光学素子５４は、軸方向変位中の、又は半径方向圧縮力が力伝達領域５８に作用するときの曲率の変化に抵抗する。
【００４６】
図２Ａ〜図２Ｃは、図１ＡのＩＯＬ１０又は図１ＢのＩＯＬ５０のいずれかに基づくＩＯＬの様々な代替の実施形態を示す。
図２Ａは、可撓性膜１０２と、光学素子１０４と、可撓性膜１０２及び光学素子１０４を結合する周方向周縁部１０６とを備えるＩＯＬ１００を示す。膜カプラ１１２が周方向周縁部１０６の内方側から配置され、膜１０２を周縁部１０６に結合する。膜カプラ１１２は、力伝達領域１０８の高さとほぼ同じかそれよりも小さい厚さを有することができる。同様に、光学素子カプラ１１４が、周方向周縁部１０６の内方側から配置され、光学素子１０４を周縁部１０６に結合する。好ましくは、光学素子カプラ１１４は、光学素子１０４を可撓性膜１０２に向かって撓ませるように可撓性膜１０２に向かって傾斜している。
【００４７】
図２Ａに示すように、周方向縁部１０６は、実質的に平坦な表面を有し、中心軸Ａ−Ａに沿って規定される高さを有するものとして示されている。この周方向周縁部１０６は、任意選択で少なくとも２つの領域を含むことができる。眼の遠近調節過程で加えられる半径方向の圧縮力の大部分を受け取り伝達することができる力伝達領域１０８と、半径方向の圧縮力の大部分を受け取って伝達することのないステップイン領域１１０である。一実施形態では、力圧縮領域は、眼の遠近調節過程で加えられる圧縮力の約７５％以上、約８０％以上、約９０％以上、約９５％以上、約９８％以上、約９９％以上、又は１００％以上を受け取る。別の実施形態では、ステップイン領域１１０は、眼の遠近調節過程で加えられる圧縮力の約２５％以下、約２０％以下、約２５％以下、約１０％以下、約５％以下、約２％以下、約１％以下を受け取るか又は全く受け取らない。力伝達領域１０８は、水晶体嚢又は溝に直接移植されたとき、眼の水晶体嚢又は溝に接触して係合するように、あるいは、２ピース式調節性眼内レンズアセンブリの一部として使用されたときにベースレンズアセンブリ４００の内側表面４２２に接触するように意図されている（図４Ａ）。力伝達領域１０８は、自身に加えられる半径方向の圧縮力の伝達を、膜カプラ１１２を介して可撓性膜１０２に集中させ、可撓性膜１０２の曲率を変化させる。したがって、力伝達領域１０８は周方向周縁部１０６の外方側に位置し、膜カプラ１１２に対向する外方側の部分に沿って配置され、好ましくは光学素子１１４に対向する外方側の部分に沿って配置されない。光学素子カプラ１１４に対向する側の部分は、好ましくはステップイン領域１１０である。
【００４８】
閉鎖容積１０３は、可撓性膜１０２と光学素子１０４とを離間させるようにＩＯＬ１００の内部に設けられる。閉鎖容積１０３はＩＯＬ１００の外部とは連通しておらず、したがってその体積は一定のままである。体積が一定であり、光学素子１０４の撓みが光学素子カプラ１１４によって可撓性膜１０２に向かう結果、半径方向の圧縮力が力伝達領域１０８に適用されたときに、可撓性膜１０２及び光学素子１０４は互いから実質的にそれて離れることはない。光学素子１０４の外周を越える閉鎖容積１０３の拡張は、光学素子１０４を、力伝達領域１０８にかかる半径方向の圧縮力を直接受けることから更に隔離するように機能する。
【００４９】
可撓性膜１０２の曲率の変化は、半径方向の圧縮力と共に、調節パワーの変化もたらす。可撓性膜１０２の曲率が変化するにつれて、光学素子１０４は、軸方向に可撓性膜１０２に向かって変位する。これにより、可撓性膜１０２は一定量の流体で光学的に均一な態様にて形状を変化させることができ、可撓性膜の不均一な座屈の問題を回避する。図２Ａの点線は、力伝達領域１０８への半径方向の圧縮力の存在下での、所望のジオプター変化を生成するための可撓性膜１０２の曲率の変化及び光学素子１０４の軸方向変位を示す。図２Ａが示すように、点線での膜の変形は滑らかであり、良好な光学的品質を有すると考えられる。高周期の座屈が排除されることで、低い光学的品質を有し得る波形の表面やさざなみ状の表面が形成されるのを回避する。
【００５０】
図２Ｂは、ＩＯＬ２００の代替の実施形態を示す。図２ＡのＩＯＬ１００と同様に、図２ＢのＩＯＬ２００は、可撓性膜２０２と、光学素子２０４と、可撓性膜２０２及び光学素子２０４を結合する周方向周縁部２０６とを含む。膜カプラ２１２が周方向周縁部２０６の内方側から配置されて膜２０２を周縁部２０６に結合する。光学素子カプラ２１４が周方向周縁部２０６の内方側から配置されて光学素子２０４を周縁部２０６に結合する。図２Ａに示されるＩＯＬ１００とは対照的に、光学素子カプラ２１４は、光学素子２０４を可撓性膜２０２に向かって、又は可撓性膜２０２から離れるように撓ませるようには構成されていない。むしろ、光学素子カプラ２１４は一連のアコーディオン状の起伏で構成され、力伝達領域２０８に作用する半径方向の圧縮力によって引き起こされる可撓性膜２０２の曲率の変化に応答して、光学素子２０４が光軸又は中心軸Ａ−Ａに沿って相反する方向に移動可能に浮動することを許容する。
【００５１】
図２ＡのＩＯＬ１００と同様に、周方向周縁部２０６は、膜カプラ２１２に対向する部分に沿って周縁部２０６の外方側に配置された力伝達領域２０８を有する。好ましくは、力伝達領域２０８は光学素子カプラ２１４に対向する外方側の部分までは拡張しない。光学素子カプラ２１４に対向する外方側の部分は、ステップイン部分２１０である。閉鎖容積２０３は、可撓性膜２０３と光学素子２０４との間の隙間又は離間した関係を維持し、図２Ａの閉鎖容積１０３に関して説明したのと実質的に同じ機能を果たす。
【００５２】
可撓性膜２０２の曲率の変化は、半径方向の圧縮力と共に、調整パワーの変化をもたらす。可撓性膜２０２の曲率が変化するにつれて、光学素子２０４は可撓性膜２０２に向かって軸方向に変位する。これにより、可撓性膜２０２は一定量の流体で光学的に均一な態様にて形状を変化させることができ、可撓性膜の不均一な座屈の問題を回避する。図２Ｂの点線は、力伝達領域２０８への半径方向の圧縮力の存在下での、所望のジオプター変化を生成するための可撓性膜２０２の曲率の変化及び光学素子２０４の軸方向変位を示す。図２Ｂが示すように、点線での膜の変形は滑らかであり、良好な光学的品質を有すると考えられる。高周期の座屈が排除されることで、低い光学的品質を有し得る波形の表面やさざなみ状の表面が形成されるのを回避する。
【００５３】
図２Ｃは、可撓性膜３０２と、光学素子３０４と、可撓性膜３０２及び光学素子３０４を結合する周方向周縁部３０６とを含むＩＯＬ３００を示す。膜カプラ３１２は、可撓性膜３０２を周縁部３０６に結合し、光学素子カプラ３１４は、光学素子３０４を周縁部３０６に結合させる。
【００５４】
周縁部３０６は、力伝達領域３０８とステップイン領域３１０とを有する。図２Ａ及び図２Ｂに示される周縁部の構成とは異なり、力伝達領域３０８は、光学素子カプラ３１４に対向する部分に沿って周縁部３０６の外方側に配置される。好ましくは、力伝達領域３０８は膜カプラ３１２に対向する外方側の部分までは拡張しない。この構成により、力伝達領域３０８は、自身に加えられる半径方向の圧縮力の伝達を、光学素子カプラ３１４を介して光学素子３０４に集中させ、中心軸Ａ−Ａに沿って光学素子３１４を軸方向に変位させる。一実施形態において、半径方向の圧縮力の少なくとも５１％、少なくとも６０％、少なくとも７０％、少なくとも７５％、少なくとも８０％、少なくとも９０％、少なくとも９５％、少なくとも９８％、少なくとも９９％、又は１００％が光学素子６０４にかかる。別の実施形態では、半径方向の圧縮力の１％以下、２％以下、５％以下、１０％以下、２０％以下、２５％以下、３０％以下、４０％、又は４９％以下が可撓性膜３０２にかかる。光学素子カプラ３１４は、半径方向の圧縮力が力伝達領域３０８に適用されたとき、光学素子３０４を可撓性膜３０２に向かって軸方向に変位させるように可撓性膜３０２に向かって傾斜していることが好ましい。
【００５５】
図２Ａ及び図２Ｂに示される実施形態とは対照的に、可撓性膜３０２は、半径方向の圧縮力の結果として間接的に曲率が変化する。閉鎖容積３０４に収容された流体を押し、光学素子３０４に対面する可撓性膜３０２の内側表面に力を加えるのは、光学素子３０４の軸方向変位である。すなわち、光学素子３０４の軸方向変位がもたらす可撓性膜３０２に作用する流体の力が、可撓性膜３０２の曲率の変化を直接引き起こすのである。
【００５６】
１つの好ましい実施形態では、ＩＯＬ３００は、閉鎖容積３０３を画定する容積部と流体連通し、かつそれに含まれる周方向の溝３０５をさらに備える。周方向の溝３０５は、周方向周縁部３０６の内方側と可撓性膜３０２との間に設けられ、可撓性膜３０２の曲率の変化が、完全ではないにしても実質的に、光学素子３０４の軸方向変位からの流体圧力の直接的な結果として生じるように、周縁部３０６及び／又は力伝達領域３０８にかかる直接的な半径方向圧縮力から可撓性膜３０２を更に隔離するように機能する。
【００５７】
可撓性膜３０２の曲率の変化は、半径方向の圧縮力と共に、調節パワーの変化をもたらす。光学素子３０４が可撓性膜３０２に向かって軸方向に変位するにつれて、可撓性膜３０２の曲率が変化する。これにより、可撓性膜３０２は一定量の流体で光学的に均一な態様にて形状を変化させることができ、可撓性膜の不均一な座屈の問題を回避する。図２Ｃの点線は、力伝達領域３０８への半径方向の圧縮力の存在下での、所望のジオプター変化を生成するための可撓性膜３０２の曲率の変化及び光学素子３０４の軸方向変位を示す。図２Ｃが示すように、点線での膜の変形は滑らかであり、良好な光学的品質を有すると考えられる。高周期の座屈が排除されることで、低い光学的品質を有し得る波形の表面やさざなみ状の表面が形成されるのを回避する。
【００５８】
図２Ａ〜Ｃの閉鎖容積１０３、２０３、及び３０３内に含まれる流体は、任意の流体であってよく、好ましくはシリコーン油、フッ素化シリコーン油及びポリフェニルエーテルからなる群から選択される。一実施形態によれば、流体（２１３，３１３，４１３，５１３）は、テレダイン・ライセンシング・エルエルシー（Ｔｅｌｅｄｙｎｅ  Ｌｉｃｅｎｓｉｎｇ，ＬＬＣ）の「ポリフェニルエーテルを用いた可変焦点液体充填レンズ」と題する米国特許第７，２５６，９４３号に記載されているような、ポリフェニルエーテル（「ＰＰＥ」）であってもよい。この文献の全体の内容は、本明細書に完全に記載されているかのように、参照により組み込まれる。
【００５９】
別の実施形態によれば、流体はフッ素化ポリフェニルエーテル（「ＦＰＰＥ」）であってもよい。ＦＰＰＥは、分散特性を有する化学的に不活性で生体適合性の流体である一方で、屈折率の同調性を提供するという特徴的な利点を有する。同調性は、ポリマーのフェニル含量及びフルオロ含量の増加又は減少によって提供される。フェニル含量を増加させるとＦＰＰＥの屈折率が効果的に増加し、反対にフルオロ含量を増加させるとＦＰＰＥの屈折率が減少するが、ＩＯＬの壁を通るＦＰＰＥ流体の透過性は減少する。
【００６０】
別の好ましい実施形態では、閉鎖容積をゲルで満たすことができる。ゲルは、好ましくは、少なくとも１．４６、１．４７、１．４８、又は１．４９の屈折率を有する。ゲルはまた、２０ｐｓｉ（１３８ｋＰａ）以下、１０ｐｓｉ（６８．９ｋＰａ）以下、４ｐｓｉ（２７．６ｋＰａ）以下、１ｐｓｉ（６．８９ｋＰａ）以下、０．５ｐｓｉ（３．４５ｋＰａ）以下、０．２５ｐｓｉ（１．７２ｋＰａ）以下、０．０１ｐｓｉ（６８．９Ｐａ）以下のヤング率を有することが好ましい。好ましい実施形態では、ゲルは、架橋ポリマー、好ましくは架橋シリコーンポリマー、より好ましくは架橋フェニルシロキサンポリマー、例えばビニル末端フェニルシロキサンポリマー又はビニル末端ジフェニルシロキサンポリマーである。閉鎖された空洞を充填するために、シロキサンポリマーに加えて他の光学的に透明なポリマー液体又はゲルを使用することができ、そのようなポリマーは分岐、非分岐、架橋又は未架橋、あるいはこれらの任意の組み合わせであってもよい。
【００６１】
ゲルは、架橋されることから分子量において増長され、より自己粘着性であり、また、ＩＯＬの壁又は対向する側に対して大部分の液体よりも接着性であるという利点を有する。これにより、ゲルがＩＯＬの壁を通って漏出しにくくなる。パワー変更レンズの調節パワーと曲率における比較的小さい変形との組み合わせを得るために、ゲルは、高い屈折率を有するように選択され、かつ低いヤング率を有することによって特徴づけられる光学的に透明な材料で作られる。したがって、好ましい実施形態では、ゲルは１．４６以上、好ましくは１．４７以上、１．４８以上、最も好ましくは１．４９以上の屈折率を有する。同時に、ゲルは好ましくは１０ｐｓｉ（６８．９ｋＰａ）以下、好ましくは５ｐｓｉ（３４．５ｋＰａ）以下、より好ましくは１ｐｓｉ（６．８９ｋＰａ）以下のヤング率を有する。特に好ましい実施形態では、ゲルは０．５ｐｓｉ（３．４５ｋＰａ）以下、好ましくは０．２５ｐｓｉ（１．７２ｋＰａ）以下、最も好ましくは０．０１ｐｓｉ（６８．９Ｐａ）以下のヤング率を有する。低いヤング率では、ゲルは変形に対する抵抗が小さくなり、したがって、適用される力の所与の単位に対するパワー変更レンズ１１０の変形が大きくなることが理解される。
【００６２】
図１及び２Ａ〜２Ｃに記載されたＩＯＬは、可撓性膜又は光学素子のいずれかが後方に配置された状態で、患者の眼の水晶体嚢又は溝に直接埋め込まれてもよい。さらに、ＩＯＬは、ベースレンズアセンブリ４００及びＩＯＬを備える図４Ａ〜４Ｃに示すような２ピース式調節性眼内レンズアセンブリの一部として提供されてもよい。
【００６３】
図３Ａ〜３Ｂは、ベースパワー光学素子４１０と、ベースパワー光学素子４１０の周りに周方向に開示された触覚システムとを含むベースレンズアセンブリ４００の実施形態を示す。触覚システムは、内側表面４２２と、移植されたときに眼の水晶体嚢又は溝に接触するように寸法決め及び成形された外側表面４２０とを有する。内側表面４２２は、内側表面４２２がＩＯＬの力伝達領域と係合接触するようにＩＯＬを収容するような大きさ及び寸法にされている。一実施形態では、内側表面４２２は実質的に平坦な面である。触覚システムは、光学素子又は可撓性膜の一方を含むＩＯＬの表面に係合するレッジ又は表面４２４を有する複数のアーム４１２をさらに備えることができる。触覚システムはまた、光学素子又は可撓性膜を含む他方の表面を含むＩＯＬの表面に係合するように、内側表面４２２から半径方向内向きに延びる複数のフランジ４２６を備える。係合表面４２４及びフランジ４２６は協働してベースレンズアセンブリ４００内にＩＯＬをしっかりと維持し、ＩＯＬがベースレンズアセンブリ４００から外れることを防止する。触覚システムの半径方向の圧縮を可能にするために、触覚システムの外側表面の周りの複数の離間したノッチ４２１が更に設けられてもよい。
【００６４】
図４Ａ〜４Ｃは、一緒に組み立てられたＩＯＬ（１００，２００，３００）及びベースレンズアセンブリ４００を含む、完全に組み立てられた２ピース式調節性眼内レンズアセンブリを示す。理解されるように、各ＩＯＬの力伝達領域（１０８，２０８，３０８）は、触覚システムの内側表面４２２と密接に係合接触している。さらに、フランジ４２６及び係合表面４２４は、それぞれＩＯＬの可撓性膜を含む側及びＩＯＬの光学素子を含む側と密接に係合接触するように示されている。ベースレンズアセンブリ４００内のＩＯＬの１つの向きが示されているが、ＩＯＬを反転させてベースレンズアセンブリ４００内に反対向きに配置して、光学素子を上方にし、可撓性膜をベースレンズアセンブリ４００のベースレンズ４１０と対面させてもよい。好ましい実施形態では、触覚システム４２０の内側表面４２２とステップイン部分（１１０，２１０，３１０）との間に隙間が設けられている。この隙間は、ベースレンズアセンブリ４００の半径方向の圧縮によって、力が直接的にはステップイン部分（１１０，２１０，３１０）に伝達されないような空間を提供する。
【００６５】
２ピース式調節性眼内レンズアセンブリの移植は、ベースアセンブリ４００の移植を最初に行い、続いてベースアセンブリ４００内へのＩＯＬの埋め込み及び組み立てを行うという２段階で行われ得る。この２段階プロセスの利点は、実質的により広い範囲の遠近調節範囲を有するレンズを移植するのに必要な切開サイズが減少することである。さらに、２段階プロセスは、ＩＯＬの２つの向きのうち１つを提供することに関して柔軟性を提供し、第１の向きは可撓性膜を眼の前方に位置決めし、第２の向きは可撓性膜を眼の後方に位置決めする。臨床医は、患者の視覚ニーズに基づいて適切な向きを決定し、選択することができる。さらに、移植後のベースアセンブリを、移植しようとするＩＯＬのサイズ及びパワーの決定に用いることができる。
【００６６】
実施例１
膜の中央を２００ミクロン、周辺を１００ミクロンとしたことを除いて、図２Ａに示すＩＯＬに類似したＩＯＬをモデリングした。全体の直径は７ｍｍ、中心厚さは１．２ｍｍであった。モデリングには、ＩＯＬの閉鎖容積の内側に１．４９の屈折率を有する流体が含まれていた。様々な係数の材料をモデリングし、有限要素解析によって評価した。結果は、３ｍｍのアパーチャで５Ｄのパワー変化を示した。初期ジオプターパワーは２２．０Ｄであり、最終ジオプターパワーは２７．２Ｄであった。
【００６７】
実施例２
実施例１のＩＯＬは、膜に光学品質のシリコーン材料を使用して構築され、閉鎖容積は、１．４９の屈折率を有するシリコーン流体で満たされた。試験は、実施例１と同様の負荷設定下で、人工カプセルを用いて行った。３ｍｍアパーチャを用いて測定されたジオプターパワー変化は５．５Ｄであった。パワーは２３Ｄから２８．５Ｄに変化し、パワー変化の範囲全体にわたって許容可能な光学品質であった。
【００６８】
実施例３
実施例２で試験したＩＯＬを、次に人工レンズカプセルの中に入れたベースレンズアセンブリの内部に配置した。ベースレンズアセンブリは、図３Ａに示すレンズと同様の設計であった。試験は、実施例２と同様の負荷条件で行った。ベースパワーレンズは−８．５Ｄパワーを有し、パワー変更レンズは２３．０Ｄのパワーを有していた。ＩＯＬとベースレンズアセンブリが一緒に組み立てられたとき、３ｍｍのアパーチャで１４．５Ｄの合成パワーが測定された。３ｍｍアパーチャを用いて測定されたジオプターパワー変化は５．５Ｄであった。ジオプターパワーは１４．５Ｄから２１．０Ｄに変化し、パワー変化の範囲全体にわたって許容可能な光学品質であった。
【００６９】
本明細書に記載され請求される本発明は、本発明のいくつかの態様の例示として意図されているので、本明細書に開示される特定の好ましい実施形態によって範囲が限定されるものではない。実際には、本明細書に示され記載されたものに加えて、本発明の様々な変更が、前述の記載から当業者に明らかになるであろう。そのような変更も、添付の特許請求の範囲に含まれるものとする。
【図１Ａ】
2020110699.tif 000003
【図１Ｂ】
2020110699.tif 000004
【図２Ａ】
2020110699.tif 000005
【図２Ｂ】
2020110699.tif 000006
【図２Ｃ】
2020110699.tif 000007
【図３Ａ】
2020110699.tif 000008
【図３Ｂ】
2020110699.tif 000009
【図４Ａ】
2020110699.tif 000010
【図４Ｂ】
2020110699.tif 000011
【図４Ｃ】
2020110699.tif 000012